(57)【要約】【課題】偏向コントローラを有する装置を提供する。【解決手段】偏向コントローラ２１６は、光受信機の近くに位置する評価モジュール２１２にフィードバックループ２１４を介して結合される。評価モジュール２１２は、光受信機２０６で受信された光信号の偏向依存損失（PDL）を測定する。偏向コントローラは、評価モジュール２１２からＰＤＬに関するフィードバック制御データを受信する。さらに、偏向コントローラ２１６は、フィードバック制御データに基づいて、光受信機２０６に結合される光送信機２０４で光信号の偏向の状態を変更する。【選択図】図２
2014023145.tif 000002
【特許請求の範囲】
【請求項１】
光受信機の近くに位置する評価モジュールにフィードバックループを介して結合される偏向コントローラを備える装置であって、前記評価モジュールは、前記光受信機で受信された光信号の偏向依存損失（PDL）を測定し、
前記偏向コントローラは、前記評価モジュールからの前記PDLに関するフィードバック制御データを受信し、前記フィードバック制御データに基づいて、前記光受信機に結合される光送信機で前記光信号の偏向の状態を変更する、
装置。
【請求項２】
前記光送信機を更に備え、
前記光送信機は、前記偏向コントローラと、前記光信号で情報を符号化する同相及び直交位相（I-Q）変調器とを有し、
前記偏向コントローラは、前記I-Q変調器の電場を変更することで、前記光信号の偏向の状態を変更する、
請求項１記載の装置。
【請求項３】
前記フィードバック制御データは、前記評価モジュールで測定される前記光信号の実際のビット誤り率を最小にするか又は前記光信号のＱファクタを最大にするように、前記偏向の状態を回転させる回転角を含む、
請求項２記載の装置。
【請求項４】
前記偏向コントローラは、
前記フィードバック制御データに基づいて、Ｉ−Ｑ変調器について通常の偏向データから中間の変更された偏向データを生成する偏向回転手段と、
前記中間の変更された偏向データを線形化して、変更された偏向データを生成する線形化手段と、
前記変更された偏向データを受信して、受信された変更された偏向データから、前記Ｉ−Ｑ変調器に伝達される前記変更された偏向データのアナログ表現を生成するデジタル／アナログ変換手段と、
を有する請求項１記載の装置。
【請求項５】
前記偏向コントローラは、前記光領域における前記光信号の前記偏向の状態を変更する、
請求項１記載の装置。
【請求項６】
前記評価モジュールは、前記光受信機の近くで前記光信号の実際のビット誤り率を測定し、前記光信号の前記偏向の状態を変更すべきかを判定するために前記実際のビット誤り率をＱファクタに変換する、
請求項１記載の装置。
【請求項７】
請求項１記載の装置を備えるシステムであって、
当該システムは、前記評価モジュールと、モニタとを更に備え、
前記モニタは、前記評価モジュールが期待されるビット誤り率を超える実際のビット誤り率を測定したとき、前記光信号の実際の光信号対雑音比を測定することで、前記光信号におけるＰＤＬの存在を確認するように構成される、
システム。
【請求項８】
前記光信号は、二重偏波光信号を有する、
請求項１記載の装置。
【請求項９】
光受信機で受信される光信号の信号品質を測定し、前記光信号の信号の品質を示すフィードバック制御データを生成する評価モジュールを有する光受信機と、
連続波（CW）光信号を生成する光源と、前記光源に結合される変調器であって、通常の偏向データに基づいて前記ＣＷ光信号を変調して、変調された光信号を生成する変調器と、前記フィードバック制御データに基づいて前記光送信機で前記変調された光信号の偏向の状態を変更する偏向コントローラとを有する光送信機と、
を備えるシステム。
【請求項１０】
前記変調器は、同相及び直交位相（I-Q）変調器を有し、
前記偏向コントローラは、変調された光信号の偏向の状態を回転させるように、前記I-Q変調器の電場に作用する前記フィードバック制御データから変更された偏向データを生成する、
請求項９記載のシステム。
【請求項１１】
当該システムは、約４０Gb/s、１００Gb/s、４００Gb/s以上のビットレートで動作する、
請求項９記載のシステム。
【請求項１２】
前記偏向コントローラは、前記変調器から前記変更された光信号を受信し、前記光領域で前記偏向された光信号の偏向の状態を変更する、
請求項９記載のシステム。
【請求項１３】
前記評価モジュールが期待されるビット誤り率よりも高い前記変調された光信号の実際のビット誤り率を測定したとき、前記光受信機で受信された前記変調された光信号の実際の光信号対雑音比を測定するために構成されるモニタを更に備える、
請求項９記載のシステム。
【請求項１４】
前記モニタは、前記光信号が前記評価モジュールで受信される前に、前記変調された光信号を直接測定するように構成される、
請求項１３記載のシステム。
【請求項１５】
前記変調された光信号は、マルチチャネル波長分割多重（WDM）信号の第一のチャネルであり、前記マルチチャネル波長分割多重信号は、第二のチャネルを更に含み、
当該システムは、
前記第二の受信機で前記第二のチャネルの信号品質を評価し、前記第二のチャネルの信号品質に関連する第二のチャネルフィードバック制御データを生成する第二の評価モジュールを含む第二の受信機と、
前記第二のチャネルを生成する第二の光源と、前記第二の光源に結合され、偏向データに基づいて前記第二のチャネルを変調する第二の変調器とを含む第二の送信機と、
前記第二のチャネルの第二の偏向の状態を変更する第二の偏向回転手段と、
を更に備える請求項９記載のシステム。
【請求項１６】
二重偏波光信号により受けた偏向依存損失（PDL）を補償する方法であって、
当該方法は、
光受信機で前記二重偏波光信号のＰＤＬを測定して、前記ＰＤＬを示すフィードバック制御データを生成する段階と、
前記二重偏波光信号を生成する光送信機に含まれる偏向コントローラで前記フィードバック制御データを受信する段階と、
前記フィードバック制御データに基づいて前記二重偏波光信号の偏向の状態を回転させる段階と、
を含む方法。
【請求項１７】
前記フィードバック制御データに基づいて前記二重偏波光信号の偏向の状態を回転させる段階は、
１以上の同相及び直交位相（I-Q）変調器の電場を変更して、前記二重偏波光信号の偏向の状態を変更する段階と、
光領域で前記二重偏波光信号の偏向の状態を変更する段階と、
を含む請求項１６記載の方法。
【請求項１８】
前記ＰＤＬを測定する段階は、許容可能な光信号対雑音比及び期待されるビット誤り率を計算する段階と、
実際のビット誤り率を測定する段階と、
前記実際のビット誤り率が前記期待されるビット誤り率よりも高いとき、前記二重偏波光信号の実際の光信号対雑音比を測定する段階と、
前記実際の光信号対雑音比が前記許容可能な光信号対雑音比よりも下回るとき、増幅された自然放出雑音の挿入損失における差を測定する段階と、
を含む請求項１６記載の方法。
【請求項１９】
前記ＰＤＬを測定する段階は、
前記二重偏波光信号が伝達される光経路のＱファクタの閾値を計算する段階と、
前記二重偏波光信号の実際のビット誤り率を測定する段階と、
前記ビット誤り率をＱファクタに変換する段階と、
前記二重偏波光信号のＱファクタが前記Ｑファクタの閾値未満であるとき、前記二重偏波光信号の実際の光信号対雑音比を測定する段階と、
を含む請求項１６記載の方法。
【請求項２０】
前記二重偏波光信号は、マルチチャネル波長分割多重（WDM）信号の第一のチャネルであり、前記マルチチャネル波長分割多重信号は、第二のチャネルを含み、
当該方法は、
第二の光受信機で前記第二のチャネルのＰＤＬを測定する段階と、
前記第二のチャネルのＰＤＬを示す第二のチャネルのフィードバック制御データを、第二の光送信機にある第二の偏向コントローラに伝達する段階と、
前記第二のチャネルフィードバック制御データに基づいて、第二の光送信機で前記第二のチャネルの偏向の状態を回転させる段階と、
を含む請求項１６記載の方法。
【発明の詳細な説明】
【技術分野】
【０００１】
本発明は、光ネットワークにおける偏向依存損失（PDL）の低減に関する。
【背景技術】
【０００２】
光ネットワークは、情報を伝達するために使用される。幾つかの光ネットワークにおいて、光ファイバを通して光信号の形式で情報が伝達される。光信号は、異なるデータが例えばｘ成分とｙ成分といった直交して偏向された生成で符号化される二重偏波光信号を含む。
【０００３】
光ネットワークは、光ネットワークにおいて様々な処理を行うように設定される増幅器、分散補償器、マルチプレクサフィルタ等のようなネットワークエレメントを含む。これらのネットワークエレメントのそれぞれは、光ネットワークを通して進行する光信号に偏向に依存した作用を導入する場合がある。
【０００４】
偏向に依存した作用により、二重偏波光信号の偏向成分のうちの１つが、偏向依存損失（PDL）と呼ばれる幾らかの電力損失を受け、直交する偏向された成分は、電力の利得を受ける。偏向成分の不均衡さにより、符号化された情報は歪むか又は失われることとなる。
【０００５】
さらに、ＰＤＬは、非線形の位相の雑音のような非線形の作用において現れるクロストークを導入する場合がある。非線形の作用は、光信号の「光信号対雑音比（OSNR）」のペナルティを増加させ、結果的に、変調された情報を読み取ることができない。PDL及び／又は非線形の作用の存在は、光ピークの電力の変動として、光信号の光波形において見る事ができる場合がある。
【０００６】
本明細書で特許請求される主題は、何れかの問題を解決する実施の形態、又は上述されたような環境においてのみ動作する実施の形態に限定されない。むしろ、この背景は、本明細書で記載される幾つかの実施の形態が実施される場合がある１つの例示的な領域を説明するためにのみ提供される。
【発明の概要】
【課題を解決するための手段】
【０００７】
本実施の形態の態様によれば、偏向コントローラを含む装置が記載される。偏向コントローラは、光受信機の近くに位置される評価モジュールにフィードバックループを介して通信可能に結合される。評価モジュールは、光受信機で受信された光信号の偏向依存損失（PDL）を測定する。偏向コントローラは、評価モジュールからＰＤＬに関するフィードバック制御データを受信する。さらに、偏向コントローラは、フィードバック制御データに基づいて、光受信機に通信可能に結合される光送信機で光信号の偏向の状態を変更する。
【０００８】
本実施の形態の目的及び利点は、特許請求の範囲で特に指摘されたエレメント、特徴及び組み合わせにより少なくとも実現及び達成される。
【０００９】
上述の一般的な説明及び以下の詳細な説明の両者は、例示的なものであって、特許請求されるとき、本発明を制限するものではないことを理解されたい。
【図面の簡単な説明】
【００１０】
例示的な実施の形態は、添付図面の使用を通して更に具体的且つ詳細に記載及び説明される。
【図１】本明細書で記載される幾つかの実施の形態が実現される光ネットワークのブロック図である。
【図２】図１の光ネットワークで実現される例示的な偏向依存損失補償システムのブロック図である。
【図３Ａ】図１の光ネットワークで実現される例示的な光送信機のブロック図である。
【図３Ｂ】図１の光ネットワークで実現される別の例示的な光送信機のブロック図である。
【図４】本明細書で記載される少なくとも幾つかの実施の形態に従って配置される、偏向依存損失を補償する例示的な方法のフローダイアグラムである。
【発明を実施するための形態】
【００１１】
本発明の実施の形態は、添付図面を参照して説明される。  
図１は、本明細書で記載される幾つかの実施の形態が実現される場合がある。一般に、光ネットワーク１００は、光ネットワークに含まれるネットワークエレメント１０２，１０４，１０５，１０８，１１０及び１１２の間で光信号を伝達する。光ネットワーク１００は、端末ノードをもつポイントツーポイント光ネットワーク、リング光ネットワーク、メッシュ光ネットワーク、他の適切な光ネットワーク、２以上の光ネットワークの組み合わせを含む。
【００１２】
特に、光ネットワーク１００において、ネットワークエレメント１０２，１０４，１０５，１０８，１１０及び１１２は、１以上の光送信機（図１におけるTx）１０２（以下、送信機１０２）、１以上のマルチプレクサ（以下、MUX）１０４、１以上のデマルチプレクサ（以下、DEMUX）１０５、１以上の増幅器１０８、１以上の光アッド／ドロップマルチプレクサ（以下、OADM）１１０、及び１以上の光受信機（図１におけるRx）１１２（以下、受信機１１２）を含む。
【００１３】
ネットワークエレメント１０２、１０４、１０５、１０８、１１０及び１１２の間で、光ネットワーク１００は、１以上の光ファイバ１０６を含む。光ファイバ１０６は、ネットワークエレメント１０２、１０４、１０５、１０８、１１０及び１１２を接続し、光ネットワーク１００で伝達される光信号の導波路としての役割を果たす。一般に、光ファイバ１０６のそれぞれは、クラッド層により囲まれるコアを含む。光ファイバ１０６は、限定されるものではないが、シングルモードファイバ、マルチモードファイバ、又はＥ−ＬＥＡＦ（Enhanced  Large  Effective  Area  Fiber）を含む適切なタイプのファイバを含む。
【００１４】
幾つかの実施の形態は、光ネットワーク１００を通して伝達される異なる光信号は、チャネルとも呼ばれる、異なる公称の光周波数（又は波長）に割り当てられる。例えば、あるチャネルは、第一の周波数であり、他のチャネルは、１００ＧＨｚ、５０ＧＨｚ、２５ＧＨｚのような公称のチャネル間隔又は他のチャネル間隔で互いに離れて配置される他の波長である。異なる光信号の異なるチャネルを使用することで、光信号が互いに干渉することなしに、複数の光信号が同じ光ファイバ１０６を通して同時に伝達されるのを可能にする。
【００１５】
光ネットワーク１００で伝達される光信号は、情報を符号化するために変調される。変調のタイプは、位相変調、周波数変調、偏向変調、振幅変調及びこれらの組み合わせを含む。変調は、一般に、光信号で情報を符号化するため、光信号の特性を変更する。例えば、位相変調は、水晶を通して光信号を通過させることで光信号の位相を変更する。光信号の特定の位相又は特定の位相に対する変更は、特定の情報を伝達する。本明細書で記載される幾つかの実施の形態により実現される位相変調を含む特定の変調スキームは、二重直交位相シフトキーイング（DP-QPSK）を含む。
【００１６】
ＤＰ−ＱＰＳＫ変調は、偏波分割多重化（PDM）の例である。ＰＤＭは、あるチャネルに関連する光信号の様々な偏向成分に情報を変調することを通して二重偏波光信号を生成する。本明細書で使用されたとき、光信号の偏向は、光信号の発振の方向を示す。一般に、任意の直線偏向した光信号は、ｘ偏向成分とｙ偏向成分を含む２つの独立な直交成分に分解される。ｘ偏向成分及びｙ偏向成分は同位相である。ＰＤＭでは、ｘ偏向成分及びｙ偏向成分の両方で情報は符号化される。ｘ及びｙ偏向成分の直交偏向は、一般に、２つの成分間でのクロストークを制限及び／又は除去する。従って、光信号のｘ偏向成分及び光信号のｙ偏向成分の両方において情報を符号化することで、結果として得られる光信号のビットレートは、ＰＤＭがない場合よりも比較的高い。
【００１７】
さらに、光ネットワーク１００で伝達される情報量を増加するため、複数のチャネルを使用して複数の光信号が送信される。複数のチャネルは、マルチチャネル光信号に結合され、マルチチャネル光信号は、単一の光ファイバ１０６に沿って伝達される。マルチチャネル光信号に結合された複数のチャネルで情報を伝達するプロセスは、波長分割多重化（WDM）と呼ばれる。本明細書で使用されたとき、用語「マルチチャネルＷＤＭ光信号」は、複数のチャネルを含む光信号を説明するために使用される。光ネットワーク１００におけるＷＤＭの使用は、光ファイバ１０６当たりの集合帯域幅を増加する場合がある。比較的広い帯域幅により、光ネットワーク１００は、比較的大量の情報を送信することができる。更に、ＷＤＭを利用した光ネットワーク１００では、それぞれのチャネルは、先に説明された１以上の変調のタイプに従って変調される。
【００１８】
図１を続けて参照して、送信機１０２は、光ネットワーク１００を通して光信号を送信する。送信機１０２のそれぞれは、特定のチャネルの光信号を送信する。さらに、送信機１０２のそれぞれは、ＤＰ−ＱＰＳＫ光信号を生成及び送信するか、或いは他の適切な変調スキームに従って生成された光信号を送信する。
【００１９】
送信機１０２のそれぞれは、１以上の電気信号を光信号に変換し、光信号を送信するシステム、装置又はデバイスを一般に含む。例えば、送信機１０２のそれぞれは、レーザのような光源と変調器とを含む。光源は、光信号を生成する。変調器は、電気信号を受信し、電気信号により表された情報を光信号で変調する。次いで、光信号は、光ネットワーク１００を通して変調器から送信される。外部で変調された光源を実現するように送信機１０２が記載されているが、他の実施の形態では、送信機は、変調された光源をダイレクトに実現する場合がある。
【００２０】
ＭＵＸ１０４は、送信機１０２に結合される。ＭＵＸ１０４は、送信機１０２により送信された特定のチャネルの光信号を単一の光信号に結合する。すなわち、ＭＵＸ１０４は、送信機１０２により送信された複数の個々のチャネルからのマルチチャネルＷＤＭ光信号を形成するＷＤＭを実行し、マルチチャネルＷＤＭ光信号を対応する光ファイバ１０６に出力する。
【００２１】
増幅器１０８は、マルチチャネルＷＤＭ光信号を増幅するように、光ネットワーク１００を通して位置される。増幅器の幾つかの例は、限定されるものではないが、電気又は電子−光変換を更に実行する光リピータ、光信号の強度を増加するために希土類元素の原子を励起する希土類元素でドープされた光ファイバ、エルビウムドープファイバ増幅器（EDFA）、半導体光増幅器（SOA）、又は他の適切な増幅器を含む。
【００２２】
ＯＡＤＭ１１０は、光ファイバ１０６からの光信号を挿入及び／又は分岐するシステム、装置又はデバイスを含む。例えば、ＯＡＤＭ１１０のそれぞれは、マルチチャネルＷＤＭ光信号に特定のチャネルの光信号を挿入し、及び／又はマルチチャネルＷＤＭ光信号から特定のチャネルの光信号を除去（例えば分岐）する。ＯＡＤＭ１１０を通して通過した後、光信号は、目的地にダイレクトに光ファイバ１０６に沿って進行し、又は光信号は、目的地に到達する前に、１以上の更なるＯＡＤＭ１１０を通して通過される場合がある。
【００２３】
ＤＥＭＵＸ１０５は、光ネットワーク１００の１以上の目的地で含まれる。ＤＥＭＵＸ１０５は、マルチチャネルＷＤＭ光信号をこれに含まれる個々のチャネルに分離又は分割する。幾つかの実施の形態では、ＤＥＭＵＸ１０５は、ＭＵＸ１０４に類似するが、個々のチャネルを１つのマルチチャネルＷＤＭ光信号に結合する代わりに、光信号を個々のチャネルに分割する。
【００２４】
光ネットワーク１００は、ＤＥＭＵＸ１０５に結合される受信機１１２を含む。受信機１１２のそれぞれは、ＤＥＭＵＸ１０５により出力される光信号の対応する１つを受信し、これに含まれる情報について光信号を処理する。従って、光ネットワーク１００は、光ネットワーク１００で伝達される光信号の各チャネルについて少なくとも１つの受信機１１２を含む。
【００２５】
変更、追加又は省略は、限定することなしに光ネットワーク１００に対してなされる場合がある。例えば光ネットワーク１００は、ネットワークエレメント１０２、１０４、１０５、１０８、１１０及び１１２の幾つかのサブセットを含む場合がある。付加的に又は代替的に、光ネットワーク１００は、本明細書で図示及び／又は記載されたエレメント以外の更なるネットワークエレメントを含む場合がある。
【００２６】
図２は、図１の光ネットワーク１００で実現される例示的な偏向依存損失（PDL）補償システム２０２のブロック図である。一般に、ＰＤＬ補償システム２０２は、光受信機２０６（以下、受信機２０６）での光信号のＰＤＬを測定又はさもなければ評価する。ＰＤＬは、ＰＤＬソース２１０により光信号に導入される。偏向コントローラ２１６は、光送信機２０４（以下、送信機）で光信号の偏向の状態（以下、SOP）を回転する。光信号のＳＯＰを回転することは、ＰＤＬソース２１０により光信号に導入されるＰＤＬを補償する。
【００２７】
ＰＤＬ補償システム２０２は、図１の光ネットワーク１００に類似した光ネットワーク２００の環境で示される。例えば、送信機２０４は、図１の送信機１０２の何れかに応答し、受信機２０６は、図１の受信機１１２の何れかに応答する。一般に、送信機２０４は、１以上の光ファイバ２０８を通して受信機２０６に伝達される。光ファイバ２０８は、送信機２０４から受信機２０６に光信号を伝達する。
【００２８】
送信機２０４と受信機２０６との間で、光ネットワーク２００は、ＰＤＬソース２１０を含む。ＰＤＬソース２１０は、図１のＭＵＸ１０４、ＤＥＭＵＸ１０５、増幅器１０８及び／又はＯＡＤＭ１１０のような、光ネットワークにＰＤＬを導入するネットワークエレメント又はネットワークデバイスを含む。すなわち、光信号が光ネットワーク２００を通して進行するとき、光信号は、ＰＤＬソース２１０を通して通過する。空間的な偏向の相互作用のため、ＰＤＬソース２１０は、選択可能な方向で光信号の電力を低減する。
【００２９】
例えば、光信号が二重偏波光信号である実施の形態では、あるチャネルの変調されたｘ偏向成分と変調されたｙ偏向成分は、異なるやり方で作用される場合がある。ＰＤＬソース２１０は、例えば、二重偏向光信号の変調されたｘ偏向成分を減衰させる場合がある。従って、ＰＤＬは、粗悪な信号品質及び／又はデータ損失につながる場合がある。さらに、ＰＤＬソース２１０は、マルチチャネルＷＤＭ光信号の様々なチャネルを異なって減衰させる場合がある。従って、マルチチャネルＷＤＭ信号では、それぞれのチャネルのそれぞれ変調された偏向成分は、光ネットワーク２００を通して進行する間、種々の程度のＰＤＬを受ける場合がある。
【００３０】
ＰＤＬ補償システム２０２は、評価モジュール２１２を含む。一般に、評価モジュール２１２は、少なくとも部分的に、光信号のＰＤＬを測定するシステム又は装置を含む。幾つかの実施の形態では、評価モジュール２１２は、受信機２０６で受信された光信号の信号品質を測定することで光信号のＰＤＬを少なくとも部分的に測定する。信号品質は、例えば光信号の実際のビット誤り率（BER）の測度を含む。例えば、期待されるＢＥＲは、光ネットワーク２００について計算されるか及び／又は光ネットワーク２００における光経路（図示せず）について計算される。評価モジュール２１２は、光信号の実際のＢＥＲを測定する。光信号の実際のＢＥＲが期待されるＢＥＲよりも高い場合、光信号はＰＤＬを含む。
【００３１】
代替的に、評価モジュール２１２は、実際のＢＥＲを測定し、次いで、実際のＢＥＲをＱファクタに変換する。一般に、光信号のＳＯＰは、ランダムである場合がある。従って、光信号のＱファクタは変化する場合がある。Ｑファクタの閾値が設定され、これを下回ると光信号がＰＤＬを含むと考えられる基準を確立する。評価モジュール２１２が光信号がＰＤＬを含むと判定した場合、評価モジュール２１２は、光信号のＳＯＰが回転されることを示す信号を生成及び／又は伝達する。
【００３２】
例えばＱファクタの閾値は、８．３デシベル（dB）である。評価モジュール２１２は８．３デシベル（dB）以下のＱファクタを測定した場合、評価モジュール２１２は、所与の角度により光信号のＳＯＰを回転する信号を伝達する。ＳＯＰを回転することで、Ｑファクタは、Ｑファクタの閾値を越えて増加される。より一般的には、評価モジュール２１２は、偏向コントローラ２１６に、光信号のＳＯＰが回転されるべきであることを示すフィードバック制御データを伝達する。フィードバック制御データは、測定されたＱファクタ、光信号のＳＯＰに印加される角度の回転、偏向コントローラ２１６に角度の回転をＳＯＰに適用させる制御信号等、又はこれらの組み合わせを含む。
【００３３】
評価モジュール２１２は、図２における受信機２０６に含まれるコンポーネントとして示される。この図示は、限定されることが意図されない。一般に、しかし、評価モジュール２１２は、受信機２０６又は光ネットワーク２００に含まれる少なくとも後続するＰＤＬソース２１０で受信される光信号の信号品質及び／又はＰＤＬを測定する。
【００３４】
先に指摘されたように、信号品質、ＰＤＬの測定、又はＳＯＰを回転する制御信号に関する評価モジュール２１２により生成された信号は、フィードバック制御データと呼ばれる。評価モジュール２１２は、フィードバック制御データを偏向コントローラ２１６に伝達し、又はフィードバック制御データを偏向コントローラ２１６に伝達する代替の、中間システムに伝達する。幾つかの実施の形態では、評価モジュール２１２は、フィードバックループ２１４に結合され、フィードバックループは、評価モジュール２１２から偏向コントローラ２１６にフィードバック制御データを少なくとも部分的に伝達する。フィードバックループ２１４は、光ファイバ２０８内に位置される。例えば、フィードバックループ２１４は、光ファイバ２１４に沿って伝達される監視信号を含む。
【００３５】
フィードバックループ２１４は、偏向コントローラ２１６に通信可能に接続される。偏向コントローラ２１４は、送信機２０４で光信号のＳＯＰを変更する。一般に、偏向コントローラ２１６は、送信機２０４に含まれる変調器２１８と相互作用することで光信号のＳＯＰを変更する。
【００３６】
幾つかの実施の形態では、送信機２０４において、光源２２０は、変調されていない又は連続波（CW）光信号を生成する。変調器２１８は、光源２２０に結合され、通常の偏向データに少なくとも部分的に基づいてＣＷ光信号を変調する。本明細書で使用されたとき、通常の偏向データは、電気信号を示し、この電気信号は、変調器２１８に送信されたとき、ＣＷ光信号で偏向情報を符号化する。通常の偏向データは、二重偏波光信号３１９（以下に説明）の信号品質に関する情報が無い場合に、電気的であることを更に示す。これらの実施の形態及び他の実施の形態では、偏向コントローラ２１６は、変調器２１８の電場を変更することで、光信号のＳＯＰを偏向するため、電気領域で動作する。例示的な実施の形態では、偏向コントローラ２１６は、光信号が変調されたことに応じて、通常の偏向データを変更することで変調器２１８の電場を変更する。図２では、通常の偏向データを変更する偏向コントローラ２１６は、点線２２４で表されている。
【００３７】
代替的に、偏向コントローラ２１６は、光信号が変調器２１８により変調された後、光信号を受信することで、光信号のＳＯＰを変更するため、光領域で動作する。例示的な実施の形態では、偏向コントローラ２１６は、送信機２０４により送信される光信号を受信し、光領域で光信号のＳＯＰを偏向する。ＳＯＰが偏向コントローラ２１６により変更された後、光信号は光ファイバ２０８に伝達される。図２では、偏向コントローラ２１６は、変調器２１８からの光信号を受信し、光信号を光ファイバ２０８に伝達するものであり、矢印２２６により表現される。
【００３８】
さらに、幾つかの実施の形態では、ＰＤＬ補償システム２０２は、モニタ２２２を含む。モニタ２２２は、光信号におけるＰＤＬの存在を確認する。例えば、モニタ２２２は、ＰＤＬ補償システム２０２がＰＤＬ対ＯＳＮＲにより引き起こされる信号品質の問題を区別することができるように、光信号の実際の光信号−雑音比（OSNR）を測定する。
【００３９】
付加的に又は代替的に、モニタ２２２は、評価モジュール２１２及び／又はフィードバックループ２１４と相互作用する。これらの実施の形態及び他の実施の形態では、モニタ２２２は、評価モジュール２１２が光信号におけるＰＤＬの潜在的な存在を測定するときに利用される。例えば、評価モジュール２１２が実際のＢＥＲを聞いた意されるＢＥＲよりも大きいとして測定したとき、モニタ２２２は、実際のＯＳＮＲを測定する。代替的に、光信号のＱファクタがＱファクタの閾値以下であるとき、モニタ２２２は、実際のＯＳＮＲを測定する。すなわち、実際のＢＥＲが期待されるＢＥＲよりも大きいか又は測定されたＱファクタがＱファクタの閾値よりも低いとき、光信号は、粗悪な信号品質を有するとして特徴付けされる。粗悪な信号品質は、低いＯＳＮＲ及び／又はＰＤＬにより引き起こされる。モニタ２２２は、粗悪な信号品質が、偏向コントローラ２１６が光信号のＳＯＰを変更する前のＰＤＬに少なくとも部分的に起因することを確認するため、実際のＯＳＮＲを測定する。
【００４０】
さらに、ＰＤＬ補償システム２０２において、許容可能なＯＳＮＲは、光ネットワーク２００又は光ネットワークに含まれる光経路について計算される。モニタ２２２により測定された実際のＯＳＮＲが許容可能なＯＳＮＲ以下であるとき、モニタ２２２は、粗悪な信号品質がＰＤＬに起因することを確認するため、増幅された自然放出雑音（amplified  spontaneous  emission  noise）の挿入損失における差を更に測定する。
【００４１】
モニタ２２２は、光信号が評価モジュール２１２に入力する直前で、又は評価モジュール２１２と並列に、モニタ２２２がＰＤＬソース２１０と評価モジュール２１２との間の光信号を測定するように位置される。代替的に、モニタ２２２又は複数のモニタ２２２は、様々な位置の何れかで光ネットワーク２００を通して位置される。
【００４２】
図２に示されるように、光ネットワーク２００は、１つのＰＤＬ補償システム２０２を含む。しかし、幾つかの実施の形態では、光信号は、マルチチャネルＷＤＭ信号の最初のチャネルである場合がある。マルチチャネルＷＤＭ信号は、複数の他のチャネルを更に含む。これらの実施の形態及び他の実施の形態では、光ネットワーク２００は、複数のＰＤＬ補償システム２０２を含む。ＰＤＬ補償システム２０２のそれぞれは、評価モジュール、フィードバック、偏向コントローラ、又はこれらの幾つかの組み合わせを含む。
【００４３】
例えば、マルチチャネルＷＤＭ信号が第二のチャネルに含まれる場合、光ネットワーク２００は、第二の評価モジュールを含む第二の受信機を含む。第二の評価モジュールは、第二の受信機で第二のチャネルの信号品質を評価する。第二の評価モジュールは、第二のチャネルの信号品質に関連する第二のチャネルのフィードバック制御データを、第二の偏向コントローラ及び／又は第二の送信機に伝達する。また、光ネットワーク２００は、第二の送信機を含む。第二の送信機は、第二のチャネルを生成する第二の光源を含む。また、第二の送信機は、第二の光源に結合され、偏向データに基づいて第二のチャネルを変調する第二の変調器を含む。また、光ネットワーク２００は、第二のチャネルの第二のＳＯＰを変更する第二の偏向コントローラを含む。
【００４４】
図３Ａは、図１の光ネットワーク１００で実現される例示的な光送信機３０２Ａ（以下、送信機３０２Ａ）のブロック図である。送信機３０２Ａは、受信機３０４に光ファイバ３０６を通して送信される、ＤＰ−ＱＰＳＫ信号のような二重偏波光信号を生成する。二重偏波光信号のそれぞれの偏向成分のＳＯＰは、受信機３０４から受信されたフィードバック制御データに基づいて、偏向コントローラ３２８により送信機３０２Ａで回転される。一般に、偏向コントローラ３２８は、電気領域で動作し、図２の偏向コントローラ２１６の例示的な実施の形態である。偏向コントローラ３２８は、ＤＰ−ＱＰＳＫ変調器３１０に含まれる１以上の同相及び直交位相（I-Q）変調器３３６Ａ及び３３６Ｂの電場を変更する。ＤＰ−ＱＰＳＫ変調記３１０は、Ｉ−Ｑ変調器３３６Ａ及び３３６Ｂを含み、二重偏波光信号のそれぞれ偏向成分を変調する。Ｉ−Ｑ変調器３３６Ａ及び／又は３３６Ｂの電場を変更することで、二重偏波光信号のそれぞれの偏向成分のＳＯＰが回転される。
【００４５】
この実施の形態及び他の実施の形態では、Ｉ−Ｑ変調域３３６Ａ及び３３６Ｂは、ＤＰ−ＱＰＳＫ変調器３１０に含まれる。しかし、これは、限定することを意図するものではない。代替的な実施の形態では、１以上のＩ−Ｑ変調器３３６Ａ及び３３６Ｂは、光信号を独立に変調するか、又は別のタイプの変調器に含まれる場合がある。
【００４６】
送信機３０２Ａは、光源３０８を含む。光源３０８は、ＣＷ光信号を生成する。光源３０８の例は、レーザダイオード、ファブリペロー（FP）レーザ、分散帰還（DFB）レーザ等を含む場合がある。光源３０８は、ＤＰ−ＱＰＳＫ変調器３１０にＣＷ光信号を出力するためにポンプされるか、又はその他励起される。
【００４７】
ＤＰ−ＱＰＳＫ変調器３１０において、ＣＷ光信号は、ＣＷ光信号のｘ偏向成分３１４及びＣＷ光信号のｙ偏向成分３１６に従って偏向ビームスプリッタ３１２により分割される。ｘ及びｙ偏向成分３１４及び３１６へのビームの分割に続いて、ｘ及びｙ偏向成分３１４及び３１６に情報が変調される。
【００４８】
特に、ｘ−Ｉ変調器３１８Ａは、ｘ偏向成分３１４の同位相に関する情報を変調し、ｘ−Ｑ変調器３１８Ｂは、ｘ偏向成分３１４の直交位相に関する情報を変調し、ｙ−Ｉ変調器３１８Ｃは、ｙ偏向成分３１６の同位相に関する情報を変調し、ｙ−Ｑ変調器３１８Ｄは、ｙ偏向成分３１６の直交位相に関する情報を変調する。結果として得られる変調されたｘ及びｙ偏向成分３１４Ａ及び３１６Ａは、偏向ビーム結合手段３２０により、光ファイバ３０６に出力される二重変更光信号３１９に結合される。従って、ｙ偏向成分３１６及びｘ偏向成分３１４の両者で情報を変調することで、所与の時間を通して二重偏波光信号３１９に関連するチャネルにより伝送される情報量は、比較的大きく、幾つかのケースでは、類似の非二重偏波光信号により伝送される情報量よりも２倍大きい。幾つかの実施の形態では、二重偏波光信号３１９は、毎秒４０ギガビット（Gb/s）、１００Ｇｂ/ｓ、４００Ｇｂ/ｓ、毎秒１テラビット（Tb/s）又は他のビットレートで動作する光ネットワークで使用される。
【００４９】
以下の説明では、ｘ−Ｉ変調器３１８Ａ、ｘ−Ｑ変調器３１８Ｂ、ｙ−Ｉ変調器３１８Ｃ及びｙ−Ｑ変調器３１８Ｄは、「位相変調器３１８」又は「位相変調器３１８」として単独で及び／又は組み合わせて示される。
【００５０】
光信号での情報の変調は、通常の偏向データに対応する電場に従って生じる場合がある。通常の偏向データは、以下の例となる式により記述される。
【数１】
2014023145.tif 000003
【００５１】
上記の式では、ＥXは、電気領域におけるｘ偏向成分３１４の通常の偏向データを表す。すなわち、ＥXは、情報を符号化するためにｘ偏向成分３１４に変調される信号を表す。従って、ＥXI及びＥXQは、Ｅxの同位相及び直交位相をそれぞれ表す。ＥXIは、ｘ−Ｉ変調器３１８Ａに供給され、ＥXQは、ｘ−Ｑ変調器３１８Ｂに供給される。同様に、ＥYは、電気領域でｙ偏向成分３１６の通常の偏向データを表す。すなわち、ＥYは、情報を符号化するためにｙ偏向成分３１６に変調される信号を表す。従って、ＥYI及びＥYQは、ＥYの同位相及び直交位相をそれぞれ表す。ＥYIは、ｙ−Ｉ変調器３１８Ｃに伝達され、ＥYQは、ｙ−Ｑ変調器３１８Ｄに伝達される。本明細書で使用されたとき、ＥX及びＥYは、通常の偏向データを構成する。通常の偏向データは、例えば制御システム（図示せず）からの偏向コントローラ３２８に含まれる偏向回転手段３２２に供給される。
【００５２】
偏向回転手段３２２は、フィードバック制御データと通常の偏向データとから変更された偏向データを生成する。変更された偏向データは、ＤＰ−ＱＰＳＫ変調器３１０の電場に作用して、光信号のＳＯＰを回転させる。フィードバック制御データは、受信機３０４、図２の評価モジュール２１２のような評価モジュール（図示せず）、図２のモニタ２２２のようなモニタ（図示せず）、又はそれらの幾つかの組み合わせから伝達される。
【００５３】
フィードバック制御データは、以下の情報の一部又は全部を含む。幾つかの実施の形態では、フィードバック制御データは、パフォーマンスを改善するためにＳＯＰが回転される１以上の回転角度を含む。特に、回転角度は、二重偏波光信号３１９の信号品質を改善するために計算される。例えば、回転角度は、実際のＢＥＲを最小にし、及び／又は二重偏波光信号３１９のＱファクタを増加する。
【００５４】
付加的に又は代替的に、フィードバック制御データは、回転角度に基づく偏向回転マトリクスを含む。通常の偏向データを偏向回転マトリクスで乗算することで、ＤＰ−ＱＰＳＫ変調器３１０に含まれるＩ−Ｑ変調器３３６Ａ及び３３６Ｂの電気領域は、光信号のＳＯＰを回転するために変更される。
【００５５】
偏向回転マトリクスの例示的な実施の形態は、以下に与えられる。
【数２】
2014023145.tif 000004
【００５６】
例示的な偏向回転マトリクスでは、θ及びψは、回転角度を表す。Ｒ(θ,ψ)は、θ及びψの偏向回転マトリクスを表す。中間の変更された偏向データを生成するため、偏向回転マトリクスは、以下の式に従って通常の偏向マトリクスにより乗算される。
【数３】
2014023145.tif 000005
【００５７】
上記式では、通常の偏向データ及び偏向回転マトリクスは、複数の行列として表現される。さらに、式では、Ｅ”Xは、ｘ偏向成分３１４の中間の変更された偏向データを表し、Ｅ”Yは、ｙ偏向成分３１６の中間の変更された偏向データを表す。集合的に、Ｅ”X及びＥ”Yは、中間の偏向データと呼ばれる。
【００５８】
幾つかの実施の形態では、偏向回転手段３２２は、中間の偏向データをリニアらイザ３２４に伝達する。リニアライザ３２４は、中間の偏向データを線形にして、変更された偏向データを生成する。例えば、ＤＰ−ＱＰＳＫ変調器３１０により変調された情報が線形に変動しない場合、リニアライザ３２４は、中間の偏向データを線形化するために含まれる。代替的に、中間の偏向データは、位相変調器３１８Ａ〜３１８Ｄに伝達されるか、又は以下に説明されるデジタル／アナログ変換器３２６Ａ〜３２６Ｄ（一般に、ＤＡＣ３２６又はＤＡＣs３２６）に伝達される。幾つかの実施の形態では、中間の偏向データは、以下の式に従って線形化される。
【数４】
2014023145.tif 000006
【００５９】
この式では、Ｅ’Xは、ｘ偏向成分３１４の変更された偏向データを表し、Ｅ’Yは、ｙ偏光成分３１６の変更された偏光データを表す。集合的に、Ｅ’X及びＥ’Yは、変更された偏光データと呼ばれる。通常の偏向データと同様に、Ｅ’X及びＥ’Yは、同相及び直交位相成分を含む。すなわち、Ｅ’X＝Ｅ’XI＋ｉＥ’XQ及びＥ’Y＝Ｅ’YI＋ｉＥ’YQである。
【００６０】
幾つかの実施の形態では、フィードバック制御データは、デジタルデータを含む。これらの実施の形態及び他の実施の形態では、変更された偏向データは、１以上のＤＡＣ３２６に伝達される。ＤＡＣ３２６は、変更された偏向データを受信し、変更された偏向データのアナログ表現をＩ−Ｑ変調器３３６Ａ及び３３６Ｂに伝達する。特に、送信機３０２Ａでは、第一のＤＡＣ３２６Ａは、ｙ偏光成分３１６の変更された偏光データの直交位相成分のアナログ表現をｙ−Ｑ変調器３１８Ｄに伝達する。第二のＤＡＣ３２６Ｂは、ｙ変更成分３１６の変更された偏光データの同相成分のアナログ表現をｙ−Ｉ変調器３１８Ｃに伝達する。第三のＤＡＣ３２６Ｃは、ｘ偏向成分３１４の変更された偏向データの同相成分のアナログ表現をｘ−Ｉ変調器３１８Ａに伝達する。第四のＤＡＣ３２６Ｄは、ｘ偏向成分３１４の変更された偏光データの直交位相成分のアナログ表現をｘ−Ｑ変調器３１８Ｂに伝達する。変更された偏向データをＩ−Ｑ変調器３３６Ａ及び３３６Ｂを伝達することで、位相変調器３１８の電場が変更される。結果的に、二重偏波光信号３１９のそれぞれの成分のＳＯＰが回転される。
【００６１】
ＤＡＣ３２６の図示は、限定となることが意図されない。代替的な実施の形態では、送信機３０２Ａは、限定されることなしに、１以上の位相変調器３１８に変更された偏向データを伝達する異なる数のＤＡＣ３２６を含む。
【００６２】
図３Ｂは、図１の光ネットワーク１００において実現される別の例となる光送信機３０２Ｂのブロック図である。送信機３０２Ｂは、図３Ａの送信機３０２Ａと多くの点で類似している。特に、図３Ｂの光ファイバ３０６、受信機３０４、ＤＰ−ＱＰＳＫ変調器３１０、及び光源３０８は、図３Ａの光ファイバ３０６、受信機３０４、ＤＰ＝ＱＰＳＫ変調器３１０及び光源３０８に対応し、それぞれ、上述したように動作する。しかし、ＤＰ＝ＱＰＳＫ変調器３１０は、通常の偏向データソース３３２から通常の偏向データを受信する。通常の偏向データは、偏向ビーム結合手段３２０から出力された二重偏波光信号３１９で情報を変調するため、ＤＰ−ＱＰＳＫ変調器３１０に伝達される。
【００６３】
送信機３０２Ｂは、光領域の偏向コントローラ（偏向コントローラ）３３０を含む。図３Ｂに示されるように、偏向コントローラ３３０は、送信機３０２Ｂの筐体３３４内に物理的に含まれる。代替的に、偏向コントローラ３３０は、筐体３３４の外部に位置される場合がある。例えば、偏向コントローラ３３０は、二重偏波光信号３１９が光ファイバ３０６に入力する前に偏向コントローラ３３０に入力するように、送信機３０２Ｂに隣接して位置する場合がある。図３Ｂでは、偏向コントローラ３３０は、二重偏波光信号３１９がＤＰ−ＱＰＳＫ変調器３１０から出たときに、二重偏波光信号を受信する。しかし、偏向コントローラ３３０が送信機３０２Ｂに含まれない実施の形態では、偏向コントローラ３３０は、二重偏波光信号３１９が送信機３０２Ｂを出たときに、二重偏波光信号を受信する。
【００６４】
さらに、偏向コントローラ３３０は、受信機３０４からのフィードバック制御データを受信する。フィードバック制御データに基づいて、偏向コントローラ３３０は、光領域において二重偏波光信号３１９のＳＯＰを偏向する。偏向コントローラ３３０の例は、光領域において光信号のＳＯＰを回転するシステム又は装置を含む。例えば、偏向コントローラ３３０は、可変の波長板偏向コントローラ又は「バットイヤ“bat  ear”」偏向コントローラを含む。
【００６５】
幾つかの実施の形態では、偏向コントローラ３３０は、制御ユニット（図示せず）を含む。制御ユニットは、フィードバック制御データと、偏向コントローラ３３０により実行された制御の変更とを受信する。代替的に、制御ユニットは、受信機３０４、図２の評価モジュール２１２のような評価モジュール、又は偏向コントローラ３３０を制御する別の位置に位置される場合がある。
【００６６】
図４は、二重偏波光信号により受けた偏向依存損失（PDL）を補償する例示的な方法４００のフローダイアグラムである。本方法４００及び／又は本方法の変形は、図１の光ネットワーク１００で実現され、及び／又は、図２のＰＤＬ補償システム２０２のようなＰＤＬ補償システムにより全体として又は部分的に実行される。より詳細には、本方法４００及び／又は本方法の変形例は、図２の偏向コントローラ２１６、図３Ａの偏向コントローラ３２８、及び／又は図３Ｂの偏向コントローラ３３０の何れかのような偏向コントローラにより、全体として又は部分的に実行される。当業者であれば、本明細書で開示されるこの手順及び方法並びに他の手順及び方法について、プロセス及び方法で実行される機能は異なる順序で実現される場合があることを理解されたい。さらに、概説されたステップ及び動作は、例として提供されるのみであり、開示される実施の形態から逸脱することなしに、幾つかのステップ及び動作は、任意であって、より少ないステップ及び動作に結合されるか、又は更なるステップイ及び動作に拡張される場合がある。
【００６７】
本方法４００は、ＰＤＬを示すフィードバック制御データを生成するため、光受信機で二重偏波光信号のＰＤＬを測定することで、ブロック４０２で開始する。一般に、ＰＤＬを測定することは、二重偏波光信号の実際のＢＥＲをモニタ又は評価する１以上の装置により実行される。ＰＤＬを測定することで、本方法４００を実行するシステムは、二重偏波光信号のＳＯＰの回転が信号品質を改善するかを判定する。
【００６８】
さらに、ＰＤＬを測定することは、光ネットワーク又は光ネットワークに含まれる光経路の許容可能なＯＳＮＲ及び期待されるＢＥＲを計算することを含む。許容可能なＯＳＮＲ及び期待されるＢＥＲが計算されたとき、実際のＢＥＲが測定される場合がある。実際のＢＥＲが期待されるＢＥＲよりも大きいとき、二重偏波光信号の実際のＯＳＮＲが測定される。実際のＯＳＮＲは、受信機で測定されるか、又は受信機近くで測定される。用語「受信機の近くで」とは、光ネットワークにおける最終的な光又はネットワークエレメントと受信機との間の位置を含む。従って、測定される実際のＯＳＮＲは、受信機で受信されたときの二重偏波光信号のＯＳＮＲである。実際のＯＳＮＲが許容可能なＯＳＮＲ以下であるとき、ＰＤＬを測定することは、増幅された自然放出雑音の挿入損失における差を測定することを含む場合がある。
【００６９】
代替的に、ＰＤＬを測定することは、二重偏波光信号が伝達される光経路のＱファクタの閾値を計算することを含む。Ｑファクタの閾値が計算された後、二重偏波光信号の実際のＢＥＲが測定される。実際のＢＥＲは、Ｑファクタに変換される。二重偏波光信号のＱファクタがＱファクタの閾値未満であるとき、ＰＤＬを測定することは、二重偏波光信号の実際のＯＳＮＲをモニタすることを含む。
【００７０】
ブロック４０４で、本方法４００は、二重偏波光信号を生成する光送信機に含まれる偏向コントローラでフィードバック制御データを受信することを含む。幾つかの実施の形態では、フィードバック制御データは、制御信号、回転角度、偏向回転マトリクス、又はそれらの幾つかの組み合わせを含む。幾つかの実施の形態では、フィードバック制御データは、二重偏波光信号のＳＯＰを制御する中間の制御ユニットに伝達される。
【００７１】
ステップ４０６で、方法４００は、フィードバック制御データに基づいて、二重偏波光信号の偏向の状態を回転することを含む。幾つかの実施の形態では、ＳＯＰを回転することは、ＤＰ−ＱＰＳＫ変調器に含まれる、１以上のＩ−Ｑ変調器の電場を変えることを含む。１以上のＩ−Ｑ変調器の電場を変えることは、二重偏波光信号のＳＯＰを変更する。特に、フィードバック制御データは、電場が基づいている変更された変更データを生成するために使用される。これらの実施の形態及び他の実施の形態では、変更された偏向データの生成は、中間の偏向データの生成を含み、中間の偏向データは、線形化され、１以上のＤＡＣを介して１以上のＩ−Ｑ変調器のうちの変調器に伝達される。
【００７２】
代替的な実施の形態では、ＳＯＰを回転することは、光領域で二重偏波光信号のＳＯＰを偏向することを含む。光領域でＳＯＰを回転するとき、制御ユニットは、回転を制御する。さらに、光領域における回転は、送信機から送信された二重偏波光信号を受信することを含むか、二重偏波光信号が変調器を出るときに、二重偏波光信号で変調された情報をもつ二重偏波光信号を受信することを含む。
【００７３】
幾つかの実施の形態では、二重偏波光信号は、マルチチャネル波長分割多重化（WDM）信号の最初のチャネルである。マルチチャネルＷＤＭ信号は、第二のチャネルを含む。これらの実施の形態及び他の実施の形態では、本方法４００は、第二の光受信機で第二のチャネルのＰＤＬを測定すること、第二のチャネルのＰＤＬを示す第二のチャネルのフィードバック制御データを、第二の光送信機にある第二の偏向コントローラに伝達すること、及び、第二のチャネルのフィードバック制御データに基づいて第二の光送信機で第二のチャネルのＳＯＰを回転することを含む。マルチチャネルＷＤＭ信号に含まれるそれぞれのチャネルについて同様にステップ又はアクションが行われる。
【００７４】
本明細書で記載される実施の形態は、以下に更に詳細に記載されるように、様々なコンピュータハードウェア又はソフトウェアモジュールを含むを含む特定用途向け又は汎用コンピュータの使用を含む。
【００７５】
本明細書で記載された実施の形態は、コンピュータ実行可能な命令又はデータ構造を担持又は有するコンピュータ読み取り可能な記録媒体を使用して実現される。係るコンピュータ読み取り可能な記録媒体は、汎用又は特定用途向けコンピュータによりアクセスされる何れかの利用可能な記録媒体である。例として、限定されるものではないが、係るコンピュータ読み取り可能な記録媒体は、ランダムアクセスメモリ（RAM）、リードオンリメモリ（ROM）、電気的に消去可能なプログラマブルリードオンリメモリ（EEPROM）、コンパクトディスクリードオンリメモリ（CD-ROM）又は他の光ディスクストレージ、磁気ディスクストレージ又は他の磁気記録装置、或いは、コンピュータ実行可能な命令又はデータ構造の形式で所望のプログラムコードを担持又は記憶するために使用され、汎用又は特定用途向けコンピュータによりアクセスされる他の記録媒体を含む有形のコンピュータ読み取り可能な記録媒体を含む。上記の組み合わせは、コンピュータ読み取り可能な記録媒体の範囲に含まれる。
【００７６】
コンピュータ実行可能な命令は、例えば、汎用コンピュータ、特定用途向けコンピュータ、又は特定用途向け処理装置に、所定の機能又は機能のグループを実行させる命令及びデータを含む。構造的な特徴及び／又は方法の動作に固有の言語で主題が記載されたが、特許請求の範囲で定義される主題は上述された特別の特徴又は動作に必ずしも限定されるものではないことを理解されたい。むしろ、上述された特定の特徴及び動作は、請求項を実現する例示的な形式として開示される。
【００７７】
本明細書で使用されたとき、用語「モジュール」又は「コンポーネント」は、コンピューティングシステムで実行するソフトウェアオブジェクト又はルーチンを示す。本明細書で記載される異なるコンポーネント、モジュール、エンジン及びサービスは、コンピュータシステムで実行されるオブジェクト又はプロセス（例えば個別のスレッド）として実現される。本明細書で記載されたシステム及び方法はソフトウェアで好ましくは実現されるが、ハードウェアでの実現又はソフトウェアとハードウェアとの組み合わせでの実現も可能であり、期待される。この記載では、「コンピューティングエンティティ“computing  entity”」は、本明細書で前に定義されたコンピューティングシステム、又はコンピューティングシステムで実行される何れかのモジュール又はモジュールの組み合わせである場合がある。
【００７８】
本明細書で引用される全ての例及び条件付き言語は、当該技術分野を促進するために本発明者により寄与される本発明及び概念の理解において読者を支援する教育的な目的であることが意図され、係る具体的に示される例及び条件に限定されることが無いものとして解釈されたい。本発明の実施の形態が詳細に記載されたが、本発明の精神及び範囲から逸脱することなしに、様々な変形、置換え及び変更が行われることを理解されたい。
【符号の説明】
【００７９】
２００：光ネットワーク
２０２：偏向コントローラ
２０４：光送信機
２０６：光受信機
２０８：光ファイバ
２１０：ＰＤＬソース
２１２：評価モジュール
２１４：フィードバックループ
２１６：偏向コントローラ
２１８：変調器
２２０：光源
２２２：モニタ
【図１】
2014023145.tif 000007
【図２】
2014023145.tif 000008
【図３Ａ】
2014023145.tif 000009
【図３Ｂ】
2014023145.tif 000010
【図４】
2014023145.tif 000011